【手続補正書】
【提出日】平成24年4月5日(2012.4.5)
【手続補正１】
【補正対象書類名】明細書
【補正対象項目名】００４４
【補正方法】変更
【補正の内容】
【００４４】
本発明の技術はさまざまな変形実施形態および代替実施形態が可能であり、上記で論じた例示的な実施形態は実施例として説明した。しかしながら、本発明は明細書に開示された特定の実施形態に制限されることを意図していないということを再び理解するべきである。実際に、本発明の技術は、以下の添付の特許請求の範囲によって定義される本発明の精神および範囲から逸脱しない範囲内の全ての変形実施形態、均等実施形態，および代替実施形態を含む。
次に、本発明の好ましい態様を示す。
１  エネルギーを収益化する方法であって、
ストランデッド天然ガス還元プロセス位置からエネルギー市場へ高エネルギー密度材料を輸送する工程を含み、前記高エネルギー密度材料は、ストランデッド天然ガス還元プロセスを使用して、酸化物材料を前記高エネルギー密度材料に還元することによって得られる方法。
２  上記１に記載の方法において、
前記エネルギー市場に前記高エネルギー密度材料を分配する工程と、前記エネルギー市場内で前記高エネルギー密度材料を売却する工程とをさらに含む方法。
３  上記２に記載の方法において、
反応プロセスにおいて前記高エネルギー密度材料を反応させることによってエネルギーを発生する工程とをさらに含み、前記反応プロセスは少なくとも前記酸化物材料を生成する方法。
４  上記１乃至３のいずれか一項に記載の方法において、
前記酸化物材料を回収する工程と、
前記酸化物材料を前記ストランデッド天然ガス還元プロセス位置に輸送する工程とをさらに含む方法。
５  上記４に記載の方法において、
ストランデッド天然ガス資源を供給する工程と、
前記酸化物材料を供給する工程と、
前記ストランデッド天然ガス還元プロセス位置で前記ストランデッド天然ガス還元プロセスを使用して前記酸化物材料を前記高エネルギー密度材料に還元することによってストランデッド天然ガス資源にあるエネルギーを前記高エネルギー密度材料に変換する工程と、
前記高エネルギー密度材料を前記エネルギー市場へ輸送する工程とをさらに含む方法。
６  上記５に記載の方法において、
上記１〜５の工程を周期的に繰り返す工程をさらに含む方法。
７  上記１乃至６のいずれか一項に記載の方法において、前記高エネルギー密度材料は１．０メガジュールの二乗／キログラム／リットルを１，０００で割ったエネルギー密度（ＭＪ2／ｋｇ／Ｌ／１０００）よりも大きい方法。
８  上記１乃至６のいずれか一項に記載の方法において、前記高エネルギー密度材料は、マグネシウム（Ｍｇ）、ホウ素（ｂ）、ケイ素（Ｓｉ）、炭素（ｃ）、亜鉛（Ｚｎ）、ポリエチレンプラスチック，およびアルミニウム（Ａｌ）のいずれかである方法。
９  上記１乃至６のいずれか一項に記載の方法において、前記酸化物材料は海上バルクキャリアまたは陸上バルクキャリアのいずれかによって輸送される方法。
１０  上記３に記載の方法において、反応プロセスは、燃料電池、ガスタービン、工業用発電所、商業用発電所，および内燃機関のいずれかで実施される方法。
１１  上記６に記載の方法において、
前記ストランデッド天然ガス還元プロセスは、プロセスに熱を供給するために前記ストランデッド天然ガスを使用するバイエルプロセス、熱を供給するために前記ストランデッド天然ガスを使用するボリア還元プロセス、燃料または反応物質として前記プロセスで使用するための解離水素を供給するために前記ストランデッド天然ガスを使用するボリア還元プロセスを含む群から選択される方法。
１２  エネルギーを収益化する方法であって、
ストランデッド天然ガス資源を還元サイトへ輸送する工程と、
酸化物材料を前記還元サイトへ輸送する工程と、
前記還元サイトのストランデッド天然ガス還元プロセスにおいて、前記ストランデッド天然ガス資源を使用して前記酸化物材料を高エネルギー密度材料に還元する工程と、
エネルギー市場へ前記高エネルギー密度材料を輸送する工程とを含む方法。
１３  上記１２に記載の方法において、
高エネルギー密度材料をエネルギー市場で売却する工程と、
前記エネルギー市場の中で前記高エネルギー密度材料を分配する工程とをさらに含む方法。
１４  上記１２乃至１３のいずれか一項に記載の方法において、
反応プロセス中で材料を反応させてエネルギーを発生する工程をさらに含み、
前記反応プロセスによって少なくとも前記酸化物材料を生産し、
前記還元サイトへ前記酸化物材料を輸送する工程をさらに含む方法。
１５  上記１４に記載の方法のおいて、上記１４の工程を周期的に繰り返す方法。
１６  上記１２乃至１５のいずれか一項に記載の方法において、
前記高エネルギー密度材料は約４０メガジュール／リットル（ＭＪ／Ｌ）以上のエネルギー密度を有する方法。
１７  上記１４に記載の方法において、前記反応プロセスは燃焼プロセスである方法。
１８  上記１２に記載の方法において、
天然ガス還元プロセスは、
天然ガスから水素（Ｈ2）を生成する工程と、
前記酸化物材料を前記高エネルギー密度材料に還元するために、前記生成された水素を還元促進触媒として使用する工程とを含む方法。
１９  上記１８に記載の方法において、
メタン分解プロセス、蒸気天然ガス改質プロセス，および天然ガスの触媒解離プロセスからなるプロセス群から選択されたプロセスによって、前記水素が生成される方法。
２０  上記１２に記載の方法において、
前記酸化物材料還元プロセスは、改良プロセスと組み合わされたモアッサンプロセス、前記酸化物材料の熱分解プロセス、還元促進触媒として水素（Ｈ2）を用いて前記酸化物材料を還元するプロセス、電気分解プロセスと組み合わされたバイエルプロセス，およびそれらの組み合わせのいずれかからなる群から選択されるプロセスの１つである方法。
２１  高エネルギー密度材料を収益化するためのシステムにおいて、
ストランデッド天然ガス還元プロセス位置からエネルギー市場へ高エネルギー密度材料を運ぶように構成された輸送キャリアを含む第１の輸送インフラストラクチャーを含み、前記高エネルギー密度材料は、ストランデッド天然ガス還元プロセスを使用して、酸化物材料を前記高エネルギー密度材料に還元することによって得られるシステム。
２２  上記２１に記載のシステムにおいて、
前記第１の輸送インフラストラクチャーから前記高エネルギー密度材料を受容し、エネルギーを発生させるように反応させるために、少なくとも前記高エネルギー密度材料の一部をエネルギー市場の中に分配させるように構成される分配インフラストラクチャーをさらに含むシステム。
２３  上記２２に記載のシステムにおいて、
前記反応した高エネルギー密度材料を酸化物材料として回収するように構成される回収インフラストラクチャーをさらに含み、前記酸化物材料は輸出インフラストラクチャーに供給されるシステム。
２４  上記２３に記載のシステムにおいて、
前記酸化物材料を天然ガス還元サイトに運ぶように構成される輸送キャリアを含む前記回収インフラストラクチャーに操作可能に接続されている第２の輸送インフラストラクチャーをさらに含むシステム。
２５  上記２１乃至２４のいずれか一項に記載のシステムにおいて、
前記高エネルギー密度材料は１．０メガジュールの二乗／キログラム／リットルを１，０００で割ったエネルギー密度（ＭＪ2／ｋｇ／Ｌ／１０００）以上であるシステム。
２６  上記２１乃至２４のいずれか一項に記載のシステムにおいて、
前記高エネルギー密度材料はマグネシウム（Ｍｇ）、ホウ素（ｂ）、ケイ素（Ｓｉ）、炭素（ｃ）、亜鉛（Ｚｎ）、ポリエチレンプラスチック，およびアルミニウム（Ａｌ）のいずれかであるシステム。
２７  上記２１乃至２４のいずれか一項に記載のシステムにおいて、前記酸化物材料は海上バルクキャリアまたは陸上バルクキャリアのいずれかによって輸送されるシステム。
２８  エネルギーを生産する方法において、
遠隔地の炭化水素および酸化物材料を供給する工程と、
前記遠隔地の炭化水素を水素（Ｈ2）および炭素（Ｃ）に分解する工程と、
燃料および販売のいずれかのために前記炭素を利用する工程と、
前記水素を使用して前記酸化物材料を高エネルギー密度材料に還元する工程と、
燃料および販売のいずれかのために前記高エネルギー密度材料を利用する工程とを含む方法。
２９  上記２８の方法において、
前記遠隔地の炭化水素を分解する方法は触媒解離方法である方法。
３０  上記２９の方法において、
前記酸化物材料を高エネルギー密度材料に還元するために、還元促進触媒として前記水素が使用される方法。
３１  上記２８の方法において、
前記遠隔地の炭化水素は、メタン分解プロセス、蒸気天然ガス改質プロセス，および天然ガスの触媒解離プロセスからなるプロセスの群から選択されるプロセスによって分解される方法。
３２  エネルギーを生産するシステムであって、
還元サイトと、
遠隔地のガスを前記還元サイトへ供給する第１の供給インフラストラクチャーと、
酸化物材料を前記還元サイトへ供給する第２の供給インフラストラクチャーと、
前記遠隔地のガスを水素（Ｈ2）および炭素（Ｃ）に分解するための遠隔地のガス分解プラントと、
前記遠隔地のガス分解プラントからの前記水素を使用して前記酸化物材料を高エネルギー密度材料に還元するための酸化物材料還元プラントと、
前記炭素および前記高エネルギー密度材料をエネルギー市場へ輸送するための輸送インフラストラクチャーとを含むシステム。
３３  上記３２に記載のシステムにおいて、
前記輸送インフラストラクチャーは前記炭素を前記エネルギー市場へ輸送するための第１の輸送インフラストラクチャーと前記高エネルギー密度材料を前記エネルギー市場へ輸送する第２の輸送インフラストラクチャーとを含むシステム。
３４  上記３２に記載のシステムにおいて、
前記遠隔地のガス分解プラントは、メタン分解プロセス、蒸気天然ガス改質プロセス，および天然ガスの触媒解離プロセスの少なくとも１つのプロセスによって前記遠隔地のガスを分解するように構成されるシステム。
【手続補正２】
【補正対象書類名】特許請求の範囲
【補正対象項目名】全文
【補正方法】変更
【補正の内容】
【特許請求の範囲】
【請求項１】
エネルギーを収益化する方法であって、
ストランデッド天然ガス還元プロセス位置からエネルギー市場へ高エネルギー密度材料を輸送する工程を含み、前記高エネルギー密度材料は、ストランデッド天然ガス還元プロセスを使用して、酸化物材料を前記高エネルギー密度材料に還元することによって得られる方法。
【請求項２】
請求項１に記載の方法において、
前記エネルギー市場に前記高エネルギー密度材料を分配する工程と、前記エネルギー市場内で前記高エネルギー密度材料を売却する工程とをさらに含む方法。
【請求項３】
請求項２に記載の方法において、
反応プロセスにおいて前記高エネルギー密度材料を反応させることによってエネルギーを発生する工程とをさらに含み、前記反応プロセスは少なくとも前記酸化物材料を生成する方法。
【請求項４】
請求項１乃至３のいずれか一項に記載の方法において、
前記酸化物材料を回収する工程と、
前記酸化物材料を前記ストランデッド天然ガス還元プロセス位置に輸送する工程とをさらに含む方法。
【請求項５】
請求項４に記載の方法において、
ストランデッド天然ガス資源を供給する工程と、
前記酸化物材料を供給する工程と、
前記ストランデッド天然ガス還元プロセス位置で前記ストランデッド天然ガス還元プロセスを使用して前記酸化物材料を前記高エネルギー密度材料に還元することによってストランデッド天然ガス資源にあるエネルギーを前記高エネルギー密度材料に変換する工程と、
前記高エネルギー密度材料を前記エネルギー市場へ輸送する工程とをさらに含む方法。
【請求項６】
請求項１乃至５のいずれか一項に記載の方法において、前記高エネルギー密度材料は１．０メガジュールの二乗／キログラム／リットルを１，０００で割ったエネルギー密度（ＭＪ2／ｋｇ／Ｌ／１０００）よりも大きい方法。
【請求項７】
請求項１乃至５のいずれか一項に記載の方法において、前記高エネルギー密度材料は、マグネシウム（Ｍｇ）、ホウ素（ｂ）、ケイ素（Ｓｉ）、炭素（ｃ）、亜鉛（Ｚｎ）、ポリエチレンプラスチック，およびアルミニウム（Ａｌ）のいずれかである方法。
【請求項８】
請求項３に記載の方法において、反応プロセスは、燃料電池、ガスタービン、工業用発電所、商業用発電所，および内燃機関のいずれかで実施される方法。
【請求項９】
請求項５に記載の方法において、
前記ストランデッド天然ガス還元プロセスは、プロセスに熱を供給するために前記ストランデッド天然ガスを使用するバイエルプロセス、熱を供給するために前記ストランデッド天然ガスを使用するボリア還元プロセス、燃料または反応物質として前記プロセスで使用するための解離水素を供給するために前記ストランデッド天然ガスを使用するボリア還元プロセスを含む群から選択される方法。
【請求項１０】
高エネルギー密度材料を収益化するためのシステムにおいて、
ストランデッド天然ガス還元プロセス位置からエネルギー市場へ高エネルギー密度材料を運ぶように構成された輸送キャリアを含む第１の輸送インフラストラクチャーを含み、前記高エネルギー密度材料は、ストランデッド天然ガス還元プロセスを使用して、酸化物材料を前記高エネルギー密度材料に還元することによって得られるシステム。
【請求項１１】
請求項１０に記載のシステムにおいて、
前記第１の輸送インフラストラクチャーから前記高エネルギー密度材料を受容し、エネルギーを発生させるように反応させるために、少なくとも前記高エネルギー密度材料の一部をエネルギー市場の中に分配させるように構成される分配インフラストラクチャーをさらに含むシステム。
【請求項１２】
請求項１１に記載のシステムにおいて、
前記反応した高エネルギー密度材料を酸化物材料として回収するように構成される回収インフラストラクチャーをさらに含み、前記酸化物材料は輸出インフラストラクチャーに供給されるシステム。
【請求項１３】
請求項１２に記載のシステムにおいて、
前記酸化物材料を天然ガス還元サイトに運ぶように構成される輸送キャリアを含む前記回収インフラストラクチャーに操作可能に接続されている第２の輸送インフラストラクチャーをさらに含むシステム。
【請求項１４】
請求項１０乃至１３のいずれか一項に記載のシステムにおいて、
前記高エネルギー密度材料は１．０メガジュールの二乗／キログラム／リットルを１，０００で割ったエネルギー密度（ＭＪ2／ｋｇ／Ｌ／１０００）以上であるシステム。
【請求項１５】
請求項１０乃至１３のいずれか一項に記載のシステムにおいて、
前記高エネルギー密度材料はマグネシウム（Ｍｇ）、ホウ素（ｂ）、ケイ素（Ｓｉ）、炭素（ｃ）、亜鉛（Ｚｎ）、ポリエチレンプラスチック，およびアルミニウム（Ａｌ）のいずれかであるシステム。
【請求項１６】
エネルギーを生産するシステムであって、
還元サイトと、
遠隔地のガスを前記還元サイトへ供給する第１の供給インフラストラクチャーと、
酸化物材料を前記還元サイトへ供給する第２の供給インフラストラクチャーと、
前記遠隔地のガスを水素（Ｈ2）および炭素（Ｃ）に分解するための遠隔地のガス分解プラントと、
前記遠隔地のガス分解プラントからの前記水素を使用して前記酸化物材料を高エネルギー密度材料に還元するための酸化物材料還元プラントと、
前記炭素および前記高エネルギー密度材料をエネルギー市場へ輸送するための輸送インフラストラクチャーとを含むシステム。
【請求項１７】
請求項１６に記載のシステムにおいて、
前記輸送インフラストラクチャーは前記炭素を前記エネルギー市場へ輸送するための第１の輸送インフラストラクチャーと前記高エネルギー密度材料を前記エネルギー市場へ輸送する第２の輸送インフラストラクチャーとを含むシステム。
【請求項１８】
請求項１６に記載のシステムにおいて、
前記遠隔地のガス分解プラントは、メタン分解プロセス、蒸気天然ガス改質プロセス，および天然ガスの触媒解離プロセスの少なくとも１つのプロセスによって前記遠隔地のガスを分解するように構成されるシステム。